【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
コネクタを第１の物体において固定する方法であって、前記第１の物体は低密度層を含み、前記低密度層は、個別の要素と前記個別の要素間の気体充填空間との構成を含み、前記方法は、
−前記第１の物体を提供すること、および前記コネクタを提供することを備え、前記コネクタは、熱可塑性材料のような、機械的振動によって液化可能な、液化可能な材料を有し、前記方法はさらに、
−前記コネクタを前記低密度層と接触させることと、
−前記液化可能な材料の流れ部分が流動可能になり、変形された前記個別の要素間の空間に相互浸透するようにされ、前記液化可能な材料と変形した前記個別の要素との絡み合った構造が生じるまで、前記コネクタを前記低密度層に押し付け、機械的振動エネルギを前記コネクタに結合させて前記コネクタを前記低密度層に貫通させて前記個別の要素を変形させることと、
−前記機械的振動エネルギを停止し、前記流れ部分を再凝固させて前記コネクタを前記低密度層に固定することとを備える、方法。
【請求項２】
前記個別の要素は、近遠位方向と実質的に平行に延びる壁部を含み、前記コネクタを押し付けるステップにおいて、前記コネクタは遠位方向に押し込まれる、請求項１に記載の方法。
【請求項３】
前記第１の物体は、前記低密度層を挟む第１の構築層および第２の構築層を含むサンドイッチ要素である、請求項１または請求項２に記載の方法。
【請求項４】
前記第１の物体を提供するステップにおいて、前記第１の物体は、アクセス穴をもたらすよう除去される前記第２の構築層の一部と、それによって前記低密度層の露出部分とを設けられ、前記コネクタを前記低密度層と接触させることは、前記アクセス穴を通して前記コネクタを前記低密度層と接触させることを含む、請求項３に記載の方法。
【請求項５】
前記コネクタを前記低密度層と接触させる前に、前記第２の構築層の一部を穿孔することによって前記アクセス穴を得ることを含む、請求項４に記載の方法。
【請求項６】
前記アクセス穴は、前記コネクタの断面に対してサイズを小さくされる、請求項４または請求項５に記載の方法。
【請求項７】
押圧力は、前記第１の構築層が前記コネクタによって貫通されないように選択される、請求項３〜請求項６のいずれか１項に記載の方法。
【請求項８】
前記低密度層は前記要素に加えて発泡材接着剤を含み、前記流れ部分は前記発泡材接着剤の細孔に相互浸透するよう、および／または前記発泡材接着剤に溶着されるようにされる、請求項１〜請求項７のいずれか１項に記載の方法。
【請求項９】
前記機械的振動を停止させるステップの後に押圧力を維持することを含む、請求項１〜請求項８のいずれか１項に記載の方法。
【請求項１０】
前記コネクタは、近位側に面するカップリングイン面を有する近位部分と、前記近位部分の遠位に遠位部分とを含み、前記遠位部分は中空でスリーブ状である、請求項１〜請求項９のいずれか１項に記載の方法。
【請求項１１】
前記コネクタの遠位端は遠位側に面する縁部を形成する、請求項１〜請求項１０のいずれか１項に記載の方法。
【請求項１２】
前記液化可能な材料は熱可塑性材料である、請求項１〜請求項１１のいずれか１項に記載の方法。
【請求項１３】
前記コネクタは、非液化可能な材料からなる本体を含む、請求項１〜請求項１２のいずれか１項に記載の方法。
【請求項１４】
前記本体は、前記第１の物体に対してさらなる物体を固定するための取り付け構造を含み、前記取り付け構造は、例えば、内ねじ、外ねじ、バヨネット結合構造のうちの少なくとも１つを含む、請求項１３に記載の方法。
【請求項１５】
前記コネクタは頭部または他の横方向に突出する近位特徴部を有し、前記頭部または他の横方向に突出する特徴部は停止特徴部として機能する、請求項１〜請求項１４のいずれか１項に記載の方法。
【請求項１６】
第２の物体に開口部を設けるステップと、前記第２の物体を前記第１の物体に対して配置するステップとをさらに備え、前記コネクタを前記低密度層に接触させるステップにおいて、前記コネクタのシャフト部分は、前記第２の物体の前記開口部を通って延びるようにされ、前記エネルギ伝達を停止するステップの後、前記第２の物体は、前記第１の物体と前記コネクタの遠位側に面する表面部分との間にクランプされる、請求項１〜請求項１５のいずれか１項に記載の方法。
【請求項１７】
請求項１〜請求項１６のいずれか１項に記載の、コネクタを第１の物体に固定する方法であって、前記第１の物体は、第１の構築層と、前記第１の構築層に付着する低密度層とを含み、前記低密度層は気体充填空洞を含む構造を含み、前記第１の構築層の第１の密度は前記低密度層の第２の密度より高く、前記方法は、
−前記第１の物体を提供すること、および前記コネクタを提供することを備え、前記コネクタは、熱可塑性材料のような、機械的振動によって液化可能な、液化可能な材料を有し、前記方法はさらに、
−前記コネクタを前記低密度層と接触させることと、
−前記液化可能な材料の流れ部分が流動可能になり、前記低密度層の、圧縮構造を有する圧縮部分の構造に押し込まれるまで、前記コネクタを前記低密度層に押し付け、機械的振動エネルギを前記コネクタに結合して前記低密度層を前記コネクタと前記第１の構築層との間で圧縮させて前記低密度層の前記圧縮部分を生じさせることと、
−前記機械的振動エネルギを停止し、前記流れ部分を再凝固させて、前記圧縮構造を維持する前記圧縮部分に前記コネクタを固定することとを備える方法。
【請求項１８】
前記第１の物体は第２の構築層を含むサンドイッチ要素であり、前記第１の構築層および前記第２の構築層は前記低密度層を挟む、請求項１７に記載の方法。
【請求項１９】
前記第１の物体を提供するステップにおいて、前記第１の物体は、アクセス穴をもたらすよう除去される前記第２の構築層の一部と、それによって前記低密度層の露出部分とを設けられ、前記コネクタを前記低密度層と接触させることは、前記アクセス穴を通して前記コネクタを前記低密度層と接触させることを含む、請求項１８に記載の方法。
【請求項２０】
前記低密度層は発泡材層である、請求項１７に記載の方法。
【請求項２１】
請求項１〜請求項２０のいずれか１項に記載の、コネクタを第１の物体に固定する方法であって、前記第１の物体は、低密度層と、近位の構築層とを含み、前記低密度層は要素と気体充填空間との構造を含み、前記方法は、
−前記低密度層を除去することなく、前記低密度層へのアクセスを得るために前記近位の構築層にアクセス穴を形成するために局所的に除去または分断される前記近位の構築層を前記第１の物体に提供することと、
−前記コネクタを提供することとを備え、前記コネクタは、熱可塑性材料のような、機械的振動によって液化可能な、液化可能な材料を有し、前記方法はさらに、
−前記コネクタを前記低密度層と接触させることと、
−前記液化可能な材料の流れ部分が流動可能になり、前記要素間の空間に相互浸透するようにされ、前記液化可能な材料と前記要素との絡み合った構造が生じるまで、前記コネクタを前記低密度層に押し付け、機械的振動エネルギを前記コネクタに結合させて前記コネクタを前記低密度層に貫通させることと、
−前記機械的振動エネルギを停止し、前記流れ部分を再凝固させて前記コネクタを前記低密度層に固定することとを備える、方法。
【請求項２２】
前記第１の物体は、第１の構築層と第２の構築層である前記近位の構築層とが前記低密度層を挟むサンドイッチボードである、請求項２１に記載の方法。
【請求項２３】
前記押し付けて振動エネルギを前記コネクタに結合するステップは前記要素の変形も引き起こし、前記相互浸透された空間は前記変形された要素間の空間であり、前記液化可能な材料と前記変形された要素との絡み合った構造が生じる、請求項２１または請求項２２に記載の方法。
【請求項２４】
前記低密度層の要素の構造は垂直壁の構造であり、前記押し付けるステップは、前記壁と平行な方向に前記コネクタを押し付けることを含む、請求項２１〜請求項２３のいずれか１項に記載の方法。
【請求項２５】
前記垂直壁はハニカム構造を形成する、請求項２１〜請求項２４のいずれか１項に記載の方法。
【請求項２６】
前記押し付けて振動エネルギを前記コネクタに結合するステップは、前記垂直壁が前記液化可能な材料を貫通して前記液化可能な材料が前記垂直壁間の空間を満たすように、押圧力および振動エネルギ入力を制御することを含む、請求項２１〜請求項２５のいずれか１項に記載の方法。
【請求項２７】
前記コネクタを前記低密度層に押し付けて機械的振動エネルギを前記コネクタに結合するステップは、前記コネクタを実質的に回転させることなく実行される、請求項２１〜請求項２６のいずれか１項に記載の方法。
【請求項２８】
前記振動は長手方向振動である、請求項２１〜請求項２７のいずれか１項に記載の方法。
【請求項２９】
前記コネクタは頭部または他の横方向に突出する近位特徴部を有し、前記頭部または他の横方向に突出する特徴部は停止特徴部として機能し、エネルギ入力は、前記頭部または他の横方向に突出する近位特徴部の、遠位側に面する表面部分が、前記第１の構築層または第２の物体の近位面と物理的に接触するとすぐに停止される、請求項２１〜請求項２８のいずれか１項に記載の方法。
【請求項３０】
第２の物体に開口部を設けるステップと、前記第２の物体を前記第１の物体に対して配置するステップとをさらに備え、前記コネクタの遠位側に面する表面部分を前記低密度層と接触させるステップにおいて、前記コネクタのシャフト部分は前記第２の物体の前記開口部を通って延びるようにされ、前記エネルギ伝達を停止するステップの後に前記第２の物体を前記第１の物体と前記コネクタの遠位側に面する表面部分との間にクランプする、請求項２１〜請求項２９のいずれか１項に記載の方法。
【請求項３１】
前記エネルギ伝達を停止するステップの後しばらくの間押圧力を維持する追加のステップを備える、請求項２１〜請求項３０のいずれか１項に記載の方法。
【請求項３２】
押圧力は工具によって加えられ、前記工具は、前記コネクタの相補的案内構造と協働して前記工具に対する前記コネクタの横方向（ｘ−ｙ）位置を規定する案内構造を含む、請求項２１〜請求項３１のいずれか１項に記載の方法。
【請求項３３】
前記工具はソノトロードである、請求項３２に記載の方法。
【請求項３４】
前記コネクタは固定部分と機能構造とを含む、請求項２１〜請求項３２のいずれか１項に記載の方法。
【請求項３５】
前記機能構造は、接続位置を規定する接続構造である、請求項３４に記載の方法。
【請求項３６】
前記コネクタは板状本体を含み、そこから前記固定部分は遠位側に突出し、その近位側において前記機能構造は配置され、前記本体部分は、近位側に面するカップリングイン面を含み、その面内に、固定中に、押圧力が結合される、請求項３４または請求項３５に記載の方法。
【請求項３７】
前記コネクタは、遠位側に面する当接面を有し、前記第１の物体に対して遠位方向に前記コネクタを移動させることは、前記当接面が前記第１の物体の対応する近位側に面する構造に対して当接する状態で停止する、請求項３４から請求項３６のいずれか１項に記載の方法。
【請求項３８】
前記機能構造は、挿入軸に対して偏心している、請求項３４〜請求項３７のいずれか１項に記載の方法。
【請求項３９】
前記第２の押圧力を加えるステップの間に前記挿入軸に対する前記コネクタの向きを固定することを備える、請求項３８に記載の方法。
【請求項４０】
請求項１〜請求項３９のいずれか１項に記載の方法を実行するように構成された機械であって、カップリングアウト面を有するソノトロードと、前記ソノトロードを振動させるように構成された機械的振動源と、前記ソノトロードを前方に押すことによって押圧力を加える押圧力機構とを備え、前記機械は、先行する請求項のいずれか１項に記載の方法を実行するように構成されプログラムされている、機械。
【手続補正２】
【補正対象書類名】明細書
【補正対象項目名】００８９
【補正方法】変更
【補正の内容】
【００８９】
【図１】サンドイッチボードである第１の物体の一例を示す垂直断面図である。
【図２】サンドイッチボードの芯地層を通る水平断面図である。
【図３】サンドイッチボードの芯地層を通る水平断面図である。
【図４】サンドイッチボードの芯地層を通る水平断面図である。
【図５ａ】２つの異なる段階中に方法を実行するための構成を示す。
【図５ｂ】２つの異なる段階中に方法を実行するための構成を示す。
【図６】代替のコネクタの側面図である。
【図７】さらなるコネクタの垂直断面図である。
【図８】さらなるコネクタの垂直断面図である。
【図９】他のコネクタおよび第２の物体を通る垂直断面図である。
【図１０】ソノトロードの遠位部分を通る垂直断面図である。
【図１１】コネクタまたはその一部を通る垂直断面図である。
【図１２】コネクタまたはその一部を通る垂直断面図である。
【図１３】コネクタまたはその一部を通る垂直断面図である。
【図１４】コネクタを通る水平断面図である。
【図１５】コネクタを通る水平断面図である。
【図１６】さらに別のコネクタを通る垂直断面図である。
【図１７】さらなるコネクタを伴う構成を通る垂直断面図である。
【図１８】さらなるコネクタを伴う構成を通る垂直断面図である。
【図１９】さらなるコネクタを伴う構成を通る垂直断面図である。
【図２０】コネクタの図である。
【図２１】さらに別のコネクタの垂直断面図および案内穴形状を示す図である。
【図２２】コネクタおよびソノトロードを通る垂直断面図である。
【図２３】さらなるコネクタの図である。
【図２４】さらなるコネクタの図である。
【図２５】さらなるコネクタの図である。
【図２６】さらなるコネクタの図である。
【図２７】さらなるコネクタを通る垂直断面図である。
【図２８】図２７のコネクタの部分水平断面図である。
【図２９】図２７のコネクタの部分水平断面図である。
【図３０】さらなるコネクタを通る水平断面図である。
【図３１】さらなるコネクタを通る水平断面図である。
【図３２】さらに別のコネクタを通る垂直断面図である。
【図３３】垂直断面図において、コネクタを伴うさらなる構成を示す図である。
【図３４】さらに別のコネクタの部分垂直断面図である。
【図３５】さらに別のコネクタの部分垂直断面図である。
【図３６】コネクタを通る水平断面図である。
【図３７】コネクタの実施形態の図である。
【図３８】コネクタの実施形態の図である。
【図３９】コネクタを伴うさらに別の構成を通る部分垂直断面図である。
【図４０】コネクタを伴うさらに別の構成を通る部分垂直断面図である。
【図４１】サンドイッチボードである第１の物体の一部を通る水平断面図である。
【図４２】図３９に示されるサンドイッチボードを伴う構成を通る垂直断面図である。
【手続補正３】
【補正対象書類名】明細書
【補正対象項目名】０１２９
【補正方法】変更
【補正の内容】
【０１２９】
図１７では、コネクタ２は熱可塑性材料からなるように描かれている。
いずれの場合も、プラグ部分と第２の物体２との間の接続は、第２の物体８（および／または第２の構築層１２）の近位とその遠位の間に封止を生じさせることができる。
【手続補正４】
【補正対象書類名】明細書
【補正対象項目名】０１７０
【補正方法】変更
【補正の内容】
【０１７０】
コネクタ２の上面図（近位側から見た図）を概略的に示す図３６は、上述の外向きの特徴（段差１２１、テーパ１２２）が径方向の突起として、例えば周囲に分布して形成され得るという原理を示す。代替として、そのような外向きの特徴部は周方向、すなわち周囲の周りに連続的に延びることもできる。